(57)【特許請求の範囲】
【請求項１】
本下着は、従来の下着と同様に縦方向に設けられた前開口部より陰茎の出し入れが行える下着であり、下着の前開口部内側に陰茎を収納するための袋が備えられ、その袋の下着装着側上部の左右中ほどが二つに分けられ（２a）、分けられたそれぞれが、下着の前開口打ち合わせ部分の上下中ほど(１)より下部分の外側内面と袋の外側外面、下着の内側内面と袋の内側外面のそれぞれと繋ぎ合わすことによって、身体の左右中央に設置することを可能にし、袋内に陰茎を収めて使用する下着。 
【発明の詳細な説明】
【技術分野】
【０００１】
本発明は、下着の内側を袋状の仕切りを用いて分割する事で、カップ状の袋に尿を留め、陰嚢や脚の付け根を濡らす事無く蒸れや少量の尿漏れに対応し、現在使用されている下着と同様に前開口部より陰茎の出し入れがスムーズに行える下着です。
【背景技術】
【０００２】
従来から、下着の内側に工夫を施された文献は見られます。この例として特許文献1や、特許文献２・３に開示されているものがありますが、これらは陰茎、陰嚢を同所に収容する構造になっています。
【０００３】
特許文献４では下着の前開口部が横に開けられポケットが施されています。
【０００４】
特許文献５にはペニス収容部とペニス挿入部を有し、下着の前開口部とつなげる構造の尿とりパッドがあります。
【先行技術文献】
【特許文献】
【０００５】
【特許文献１】登録実用新案第３０３７９９７号公報
【特許文献２】特開２００４−２７００６３号公報
【特許文献３】特開平９−４１２０１号公報
【特許文献４】特開平８−８１８０１号広報
【特許文献５】特開２００２−２８２２９２号公報
【発明の概要】
【発明が解決しようとする課題】
【０００６】
従来から使用されている尿漏れ対応下着では、陰茎と陰嚢の間や脚の付け根が接しているため、失禁などにより蒸れる事があります。
【０００７】
上記文献１・２・３では、陰嚢と陰茎を同所に収容する方式のため、尿漏れには対応しにくく尿漏れなどによる蒸れには効果が期待できません。
【０００８】
上記文献４では下着の前開口部が横にあけられており、下着そのものの構造が異なっています。
【０００９】
上記文献５では、ペニス挿入口が縦方向のスリットであり、下着の前開口部打ち合わせ部分の接着される部位が向かい合っているため、使用方法によりパッドがたたまれた状態、あるいは挿入口が左右中心にならない構造になっており、小用時には出し入れに手間取り、個室以外での公衆のトイレでの使用は難しい構造になっています。
【００１０】
本発明は、小用時に手間取る事無く陰茎の出し入れが行えるように、前開口部が通常と同じく縦方向に設けられ、陰茎と陰嚢の接触を最小限にする事で、少量の尿漏れや尿漏れによる蒸れを軽減するための工夫です。
【課題を解決するための手段】
【００１１】
この課題を解決するため、陰茎を収納するための袋を下着の前開口部と一体化させるように、袋の上部左右中ほどを二つに分けて下着の前開口部の中ほどより下の部分に繋げ、小用時には前開口部より容易に陰茎の出し入れが行えるようにします。
【００１２】
陰茎と陰嚢の間にはなだらかなカーブのくぼみ(図１-３a参照)をもたせることにより違和感を軽減させ、袋の下部はカップ状に形成し、底はＵ字状に角をなくして丸みを持たせ、下着の前開口部に取り付け下着内を分割させ、陰茎を収納します。
【００１３】
下着内に取り付けられる袋は、固定式でも取り外しが可能なものでも良く、下着の前開口部に繋げられる部位は前開口部中ほどより上方向にウエスト部分まで伸ばし(図２参照)ゴムの取り付け部位に繋げる方式あるいは、前開口部打ち合わせの折り返し部分を広くして袋の下着装着部分とし、なだらかなカーブの窪みのある袋の前部分を繋ぐなど、袋をしっかりと取り付けられるようにすることも可能です。
【００１４】
袋を液透過性の素材、尿の吸収性保水性に優れた素材と液不透過性で尿漏れ対応の素材などで作成することにより、少量の尿であればカップに留める事も可能になります。
【００１５】
陰嚢と脚の付け根が直接触れ合わないようにハンモック状の布をウエストより脚の付け根後部まで伸ばし、本発明のなだらかなカーブのくぼみ部分と合わせられるように、上部よりＵ字状に刳り貫き(図３-５参照)、下着内を３分割する事によって、陰嚢のみを収めることも出来ます。
【発明の効果】
【００１６】
本発明は、下着の前開口部より陰茎の出し入れが行える構造のため、人目を気にする事も手間取る事も無く小用を足す事が出来、下着内を分割させる事でそれぞれの接触が最小限となり、少量の尿漏れや、尿漏れなどによる蒸れを軽減する事も期待出来又、従来の下着と同様に着用できます。
【００１７】
陰茎と陰嚢の間にはなだらかなカーブの窪みをもたせる事で、違和感を軽減させる効果が期待できます。
【００１８】
小用の後下着に収納するときには、前開口部外側内面に繋げられた袋の上部が、カップ内への誘導壁となり、スムーズに収納する事が出来ます。
【００１９】
尿漏れ対応の素材を用いれば、少量の尿漏れにも対応する事が出来ます。
【００２０】
下着内を３分割にする事で陰茎、陰嚢が独立した部屋に収容されるため、尚いっそう蒸れを軽減することが期待出来ます。
【図面の簡単な説明】
【００２１】
【図１】本発明の下着を内側から見た図。
【図２】本発明の下着に繋がれる部分を上まで伸ばした図。
【図３】布と本発明を外し３分割にした場合の繋ぎ目を現した斜視図。
【図４】３分割にした場合の下着内に装着される部位の斜視図。
【図５】同、内側からの斜視図。
【図６】下着内の斜視図。
【発明を実施するための形態】
【００２２】
本発明では、下着内に装着される袋の下着側左右中ほどの上部は二つに分けられて（２a）分かれたそれぞれが、下着の前開口打ち合わせ部分の上下中ほど(１)より下部分、Ｖ溝部の外側内面と袋の外側外面、Ｖ溝部の内側内面と袋の内側外面のそれぞれと繋ぎ合わす(図１参照)。二つに分けられる形は、打ち合わせ式でも突合せ式でも良い。
【００２３】
袋の下部はカップ状に形成し、底はＵ字状に角を落とし丸みを付けます。
【００２４】
陰茎と陰嚢の間には、なだらかなカーブの窪み（３a）を付けます。
【００２５】
袋は、下着の前開口部打ち合わせの上下中ほどより下の方向に取り付け、身体の左右中心に位置するようにします。
【００２６】
下着前面内側の前開口部に合わせられる部分は、ウエスト部分まで伸ばして繋げても良く(図２参照)又、前開口部打ち合わせ部分の折り返し幅をひろく取るなどの方法を講じても良い。しっかりと下着本体に固定できるようにする事が望ましが、袋は固定式でも取り外しが可能な形式でも良い。
【００２７】
布の上部をＵ字状に刳り貫き（５）、刳り貫かれた上部（４）２点（８）をウエスト部分に繋ぎ、その布の細められた先（６）を脚の付け根後部の縫い合わせ部分に繋ぎ (図３参照)ます。
【００２８】
Ｕ字状に刳り貫かれたそのＵ字底部（３b）と本発明のなだらかなカーブの窪み部分（３a）を合わせて繋ぐことにより下着本体と陰茎の部屋、陰嚢の部屋が一体化され、下着内を３つに仕切ることも出来ます。
【実施例１】
【００２９】
下着の前開口部の中ほどあたりから下部分に、陰茎と陰嚢を隔てる上部がくるように陰茎が収納されるカップ状の袋が取り付けられ、前開口口を狭める障害物や要因が無いため、小用時には下着の前開口部より陰茎の出し入れが行へます。
【符号の説明】
【００３０】
１    請求項１を繋げる前開口部中ほどの点
２a   二つに分けられた袋の上部
２b   ２aを上まで伸ばした部分
３a   なだらかなカーブの窪み
３b   ３aと繋がるＵ字状の底部
４    Ｕ字状に刳り貫かれた請求項３の布
５    Ｕ字状に刳り貫かれた部分
６    脚の付け根後ろ側に繋がる部位
７    脚の付け根前側に繋がる部位
７a   脚の付け根前側に繋がる布
８    ウエストに繋がる部位
９    請求項１の袋の下部
１０  11に繋がる部分
１１  10に繋がる部分
１２  下着の前開口部
１３  下着のV溝部
【図１】
0005623771.tif 000002
【図２】
0005623771.tif 000003
【図３】
0005623771.tif 000004
【図４】
0005623771.tif 000005
【図５】
0005623771.tif 000006
【図６】
0005623771.tif 000007